(57)【要約】      （修正有）【課題】複数の混注用器具が連結された形態の混注用器具において、外力が加わっても分岐管が破損しにくく、かつ混注作業を行う場合などには混注用器具全体の剛性を維持できる混注用器具連結体並びに混注用器具の連結に使用する簡易な連結補助具を提供する。【解決手段】混注用器具２が複数連結され、隣り合う混注用器具は可撓性を有する連結管４によって連結され、混注用器具の内部同士が連通されている混注用器具連結体に用いられる連結補助具５で、混注用器具の間に取り付け可能であり、一部に他の部分よりも破断強度の低い脆弱部６を設けていることを特徴とする連結補助具。【選択図】図１
2009195503.tif 000002
【特許請求の範囲】
【請求項１】
複数の混注用器具が可撓性を有する連結管によって連結されることで構成された混注用器具の連結体に用いる連結補助具で、混注用器具の間に取り付け可能であり、一部に他の部分よりも破断強度の低い脆弱部を設けていることを特徴とする連結補助具。
【請求項２】
前記連結補助具は、前記連結管よりも高い剛性を持つことを特徴とする、請求項１に記載の連結補助具。
【請求項３】
混注用器具と連結管は、混注用器具から突出する分岐管と連結管を嵌合させることで連結されており、前記連結補助具の脆弱部の破断強度が、前記分岐管の破断強度よりも低いものであることを特徴とする、請求項１または２に記載の連結補助具。
【請求項４】
前記連結補助具の脆弱部は、連結補助具を混注用器具間に取り付けたときにそれぞれの混注用器具の分岐管の先端の間に位置するように設けられていることを特徴とする、請求項１ないし３のいずれかに記載の連結補助具。
【請求項５】
請求項１ないし４のいずれかに記載の連結補助具を、可撓性の管によって連結されている複数の混注用器具の間に備えていることを特徴とする、混注用器具連結体。
【発明の詳細な説明】
【技術分野】
【０００１】
本発明は、例えば医療現場で用いられる混注用器具に関する。
【背景技術】
【０００２】
医療現場で患者に輸液や輸血を行う場合には、それらの液体が流通するラインの途中に混注用器具を設け、この混注用器具を利用して種類が異なる薬液をラインに混注して患者に投与する、またライン内の液体をサンプルとして採取することが行われている。この種の混注用器具としては、例えば２つの主分岐管部と１つの副分岐管部とを有する三方活栓や、特許文献４に記載された閉鎖式の混注ポートを持つものなどが知られている。これらの混注用器具は単独で使用されることもあるが、複数の混注用器具を直列に並べて使用することもある。このような例としては、隣り合う三方活栓の主分岐管部同士を接続して一体化したものがある（例えば特許文献１参照）。この混注用器具を使用する場合には、患者に投与する液体が供給される側に位置する三方活栓の主分岐管部に、患者に穿刺される穿刺針を有する患者側ラインを接続する。そして、各三方活栓の副分岐管部の開口にシリンジ等を接続することで、三方活栓の副分岐管部が混注ポートとして機能し、薬液の混注やサンプルの採取を行うことが可能になっている。
【０００３】
また、複数の三方活栓を利用して混注用器具を構成する例として、各三方活栓にプレートを一体に設け、隣り合う三方活栓の主分岐管部同士を接続する時にはプレートに形成した嵌合構造により隣り合うプレート同士を一体化する構造のものもある。（例えば、特許文献２参照）
【０００４】
ところで、上記のように複数の混注用器具を連結して使用する場合、混注用器具が他の医療器具と接触する、不意にラインが引っ張られたりする、混注用器具が患者の下敷きになるなどの要因で、混注用器具の連結体に不意に外力が加わることがある。この時、分岐管は混注用器具から突出する細長い形状となっており、混注用器具全体が剛直であるために、分岐管の基端部に外力が集中して破損を招く恐れがある。分岐管が破損すると薬液や血液が流出し、患者に危害が及ぶ恐れがある。また分岐管の破損が混注用器具全体の破損につながるおそれもあるので、このようなことが起きないような対策が必要である。
【０００５】
上記問題点を解決するために、特許文献３に記載されるような構成が開示されている。この構成を用いることで、２つないし３つの混注ポートを一つの混注用器具に備えることが出来、かつ混注ポートの間の流路が破断するおそれもない。しかし、混注ポートを４つ以上連結する必要がある場合、その強度や製造上の問題から特許文献３の構成を適用することは難しくなる。そのため、１つのラインに４つ以上の混注ポートが必要な場合は、複数の混注ポート構成部をさらに連結させる必要があるが、この場合依然として連結部の分岐管について破損のおそれがある。
【０００６】
一方、複数の混注用器具を連結する場合に、分岐管同士を可撓性の管で連結して混注用器具の連結体を構成すれば、連結体に外力が加わった場合にも可撓性の管が外力を吸収して変形するので、前記のように分岐管が破損する可能性は低くなる。しかし、この場合は連結体全体の剛性が失われ、混注作業を行う時、特にベッドなどの柔らかい物体の上で混注作業を行う時には連結体の形状が安定せず、混注作業に支障をきたすおそれがある。
【０００７】
【特許文献１】特開２００４−３１３６５０号明細書
【特許文献２】特開平７−６７９６８号明細書
【特許文献３】特願２００６−１７６９６６号明細書
【特許文献４】特許３３８９９８３号明細書
【発明の開示】
【発明が解決しようとする課題】
【０００８】
本発明は上記の問題点を解決するためになされたものである。すなわち本発明は、複数の混注用器具が連結された形態の混注用器具において、外力が加わっても分岐管が破損しにくく、かつ混注作業を行う場合などには混注用器具全体の剛性を維持できる混注用器具連結体並びに混注用器具の連結に使用する簡易な連結補助具を提供するものである。
【課題を解決するための手段】
【０００９】
上記問題を解決するために、本発明は以下の構成を備える。すなわち本発明は、複数の混注用器具が可撓性を有する連結管によって連結されることで構成された混注用器具の連結体に用いる連結補助具で、混注用器具の間に取り付け可能であり、一部に他の部分よりも破断強度の低い脆弱部を設けていることを特徴とする連結補助具を提供するものである。
【発明の効果】
【００１０】
混注用器具の間に上記連結補助具を取り付けることで混注用器具連結体全体の剛性を維持することが出来るので、混注操作をスムースに行うことが出来る。該連結補助具を、前記連結管よりも高い剛性を持つものとすることで、効果はより顕著なものとなる。また、連結体に外力がかかった場合には連結補助具の脆弱部が真っ先に破損し、可撓性のある連結管によって力が吸収される。よって混注用器具と連結管が連結している部分に外力が伝わりにくくなり、その部分が破損しにくくなるので、混注用器具の破損により流路内の液体が漏出したり外部から異物が混入するおそれが少ない。
【００１１】
混注用器具と連結管が、混注用器具から突出する分岐管と連結管を嵌合させることで連結されている場合、前記連結補助具の脆弱部の破断強度が前記分岐管の破断強度よりも低いものであることが望ましい。このように構成することで、外力が加わっても分岐管より先に連結補助具が破断するので、分岐管の破断を確実に防ぐことが出来る。
【００１２】
本発明において使用する連結補助具は、混注用器具間に取り付けたとき、連結補助具の脆弱部がそれぞれの混注用器具に設けられた分岐管の先端の間に位置する形状であることが望ましい。このように構成することで、外力が加わった際に分岐管からより遠い位置で連結補助具が破損しやすくなり、分岐管の破断をより確実に防ぐことが出来る。
【発明を実施するための最良の形態】
【００１３】
以下、図面をもとに本発明を説明する。
【００１４】
図１は本発明による混注用器具連結体の斜視図であり、図２はその側面図である。混注用器具連結体１は、複数の混注用器具２，２の分岐管部３，３同士が可撓性を有する連結管４によって連結され、混注用器具２，２の内部同士は連結管４を介して連通している。そして、複数の混注用器具２，２の間には、混注用器具連結体１全体の形態を維持するための連結補助具５が連結管４に沿って取り付けられている。連結補助具５を取り付けることで、混注用器具２，２同士が可撓性を有する連結管４によって連結されていても混注用器具連結体１全体の剛性を保つことが出来、混注用器具連結体１は直列形状を維持できる。
【００１５】
図３は、混注用器具連結体に上方から外力が加わった状態を示す側面図である。図に示すように、混注用器具連結体１に外力が加わった時、その力は連結補助具５に集中する。そしてさらに外力が加わると、連結補助具５に設けられた脆弱部６がどこよりも先に破断する。連結補助具５が破断した後は、加えられた外力が可撓性連結管４によって吸収されるので、それ以上他の部位が破損するおそれは少ない。よって、混注用器具連結体１が破損して、その内部を流れる流体が外部に漏出するおそれが少なくなる。
【００１６】
図４ないし図６は、本発明の混注用器具連結体１に用いる連結補助具５の種々の実施例を示す斜視図である。連結補助具５は複数の混注用器具２の間に連結管４に沿って取り付けられ、その一部には他の部分よりも破断強度の低い脆弱部６が設けられている。脆弱部６の位置は、連結補助具５を複数の混注用器具２の間に取り付けた際、それぞれの混注用器具の分岐管３の先端の間に位置するよう設けることが好ましい。さらには、連結管４の中間点を０％とし、該中間点から分岐管３の先端までの距離を１００％とした場合、０％ないし８０％の位置に脆弱部６が位置するように脆弱部６を設けることが好ましい。このような位置に脆弱部６を設けることで、混注用器具連結体１に力が加わった時に分岐管３から離れた位置で連結補助具５が破断するので、分岐管３をより確実に保護することが出来る。
【００１７】
脆弱部６の破断強度は混注用器具の分岐管３の破断強度よりも低く、混注用器具連結体１に外力が加わった時に分岐管３よりも先に連結補助具の脆弱部６が破断する構成となっている。脆弱部６の例としては、図４、図５に示すように、高さ方向の肉厚が最も薄くなる部分を設ける方法があげられる。図４に示す例では、両端から脆弱部に向かって直線的に肉厚が薄くなっており、図５の例では、アーチ状に薄くなっている。また、図６に示すように、高さ方向の肉厚だけでなく幅方向の肉厚も最も薄くなるように構成すれば、高さ方向に加わった外力だけでなく幅方向に加わった外力も脆弱部６に集中させることが出来るので、どの方向から力が加わっても脆弱部で確実に破断を起こすことが出来る。
【００１８】
連結補助具５を構成する材料は連結管４よりも高い剛性を持ち、かつ混注用器具２と同等かそれ以下の剛性を備える材料で構成される。連結管４を構成する可撓性の材料としては、軟質塩化ビニル樹脂、ポリブタジエン樹脂、軟質ポリプロピレンなどが好ましく用いられ、また混注用器具２にはポリカーボネートがよく用いられるので、連結補助具５は軟質塩化ビニル樹脂、ポリブタジエン、軟質ポリプロピレンよりも固く、ポリカーボネートと同等かそれに近い固さを持つ材料によって形成されることが望ましい。具体的には、ポリカーボネート、ポリエチレン、硬質ポリプロピレン、アクリル樹脂、硬質塩化ビニル樹脂などが挙げられる。
【００１９】
連結補助具５は、図２に示されているように、複数の混注用器具２の間に隙間なく配置するのが好ましい。連結補助具５は混注用器具２と溶着もしくは接着されていてもよく、混注用器具２と一体となるように成形されていてもよい。また、連結補助具５が混注用器具２の間に係止されるよう、係止機構を設けることも有用である。係止機構の例としては、混注用器具２の下端にリブを設け、それに係合する鉤を連結補助具５に設け、リブと鉤を係合させて連結補助具５を混注用器具２の間に取り付ける方法や、スナップフィット構造によって混注用器具２の間に連結補助具５を取り付ける方法などが考えられる。
【００２０】
上記のように、本発明は混注用器具の間に連結補助具を取り付けるだけでその効力を発揮するものである。よって、混注用器具を連結する数が増えても、その間に連結補助具を取り付けるだけでその効果を得ることが出来る。そのため、連結する混注用器具の数に応じて製造方法や設計を大幅に変更する必要はなく、製造上有利である。
【産業上の利用可能性】
【００２１】
本願発明は医療用の混注ポートや三方活栓などを可撓性の管で連結する際の補助具として使用できるが、医療用途に限らず硬質の部材を可撓性の管で連結する際の補助具としても使用することができる。
【図面の簡単な説明】
【００２２】
【図１】本発明の混注用器具連結体の斜視図である。
【図２】本発明の混注用器具連結体の側面図である。
【図３】本発明の混注用器具連結体に外力が加わった時の模式図である。
【図４】本発明の連結補助具の斜視図である。
【図５】本発明の連結補助具の斜視図である。
【図６】本発明の連結補助具の斜視図である。
【符号の説明】
【００２３】
１            混注用器具連結体
２            混注用器具
３            分岐管
４            連結管
５            連結補助具
６            脆弱部
【図１】
2009195503.tif 000003
【図２】
2009195503.tif 000004
【図３】
2009195503.tif 000005
【図４】
2009195503.tif 000006
【図５】
2009195503.tif 000007
【図６】
2009195503.tif 000008